(57)【要約】      （修正有）【課題】ロ−ルペ−パ−の切断操作を片手で使用できるホルダーを提供する。【解決手段】ホルダ−１ａにロ−ルペ−パ−４０を装着し、切断刃９と重し部１２を備えたカバ−８ａの側部１１に弾力体２１を設け、その弾力体部が横部部材３の内壁部４に圧接する圧接摩擦部２０ａを有し、ペ−パ−切断時の引上げる力に対抗する、重し部を設けたカバ−の回動引下げ力１４と圧接摩擦部２０ａの摩擦抵抗力とが二重に働き、カバ−を切断可能な一定の位置に保つ。そして、ロ−ルペ−パ−装着時に一方の左ペ−パ−部４１を切断刃９部より露出４３する取付けとし、その露出されたペ−パ−を切断長さに引出し４４切断する。左ペ−パ−部の引出し時に右ペ−パ−部４２が同時に露出４３される。それにより左右のペ−パ−部を交互に引出し切断するのが可能となる。【選択図】図１
2014217671.tif 000002
【特許請求の範囲】
【請求項１】
ペ−パ−をロ−ル状に巻いたロ−ルペ−パ−が回転自在に取付けられるホルダ−本体と、
引出された前記ペ−パ−を先端部で切断することができ、後部が前記ホルダ−本体の後部
に回動可能に枢支されたカバ−とを有するホルダ−において、
前記ペ−パ−を切断する時に、前記カバ−の先端部にかかる引上げ力に対抗する為に、
前記カバ−と前記ホルダ−本体との間に常時摩擦力を生じさせるための摩擦部を設け、
前記摩擦部は、前記カバ−が前記ホルダ−本体に枢支された箇所より離れた位置にあるこ
とを特徴とするホルダ−。
【請求項２】
前記摩擦部は、弾力を帯びた摩擦部であるか、
又は、互いに吸引関係にある２つの強磁性体の内、少なくとも一方を磁石とした磁着摩擦
部としたことのいずれか一つを備えたことを特徴とする請求項1記載のホルダ−。
【発明の詳細な説明】
【技術分野】
【０００１】
主にトイレ及び洗面所等に備えられるロ−ルペ−パ−を取付けるホルダ−で、
本ホルダ−を用いたペ−パ−の一連の使用操作を片手で行うことを可能とするホルダ−に関する。
【背景技術】
【０００２】
従来のホルダ−は、前記ロ−ルペ−パ−を支える同ロ−ルペ−パ−の側部にホルダ−本体を形成する横部部材と、
同横部部材後部に連接するホルダ−本体を形成する後部部材と、
前記ロ−ルペ−パ−取付け部上方に該ロ−ルペ−パ−を覆うカバ−が配設され、
前記カバ−は、前端横幅方向に渡って切断刃有し、該カバ−後部が前記横部部材又は前記後部部材に枢支され、該枢支された枢支部に対し（枢支部を支点に）前記カバ−の前方部が回動（円弧回転）自在となったホルダ−で、ロ−ルを覆うカバ−が自由に回動する構成であり、前記カバ−の上げ下げと、ペ−パ−切断時にカバ−が回動引上げられないように前記カバ−先端部の前記ロ−ルペ−パ−への押圧を一方の手で行い、もう一方の手で前記ペ−パ−の取出し（引出し）と切断を行う両手を使うものである。
【０００３】
そして、前記ペ−パ−切断時にカバ−先端部が容易に引上げられないように、カバ−に金属等の重し部を設け、カバ−が引上げられるのを抑制している。
【０００４】
また、片手で操作するホルダ−では、切断刃より後方側の位置でペ−パ−の一部を挟み、ペ−パ−に張力を持たせ切断刃がペ−パ−に食い込み易くして切断していた。
【０００５】
【特許文献１】特開２０１１-１７７４７１
【特許文献２】特開２０１１-１５２３９３
【特許文献３】特開２０１０-１７２３９７
【特許文献４】特開２００２-０５１９３５
【特許文献５】特開２００２-０００５０１
【発明の開示】
【発明が解決しようとする課題】
【０００６】
以上に述べた一般的な従来のホルダ−では、両手で操作する必要がある。
そして、重し等を設けた自重の重いカバ−では、カバ−の自重によるロ−ルペ−パ−を圧接する大きな押圧力（当接力）が生じ、その為ペ−パ−の引出し時の摩擦力によりペ−パ−の引出しが困難となる恐れがある。
また、片手で操作する別の実施例のホルダ−では、ペ−パ−に張力を持たせ切断刃を食込み易くするものがある。
しかし、この方法では構造が複雑になることと、ロ−ルペ−パ−の着脱が困難であり、操作性においても簡便さに欠けるものと思われる。
【０００７】
本発明は、この様な従来の問題を解決しようとするもので、使用時において常にカバ−の先端部がロ−ルペ−パ−に当接するように、カバ−は一定の重さを有しており、自重による前記カバ−の下方への回動引下げ力を抑制し、ロ−ルペ−パ−への押圧力（当接力）を小さくすることを可能とし、片手のみの操作で必要な長さのペ−パ−の取出しと、そのペ−パ−が切断可能なホルダ−を提供することを目的とするものである。
【課題を解決するための手段】
【０００８】
上記目的を達成する為に本発明のホルダ−は、前記カバ−の押圧力（当接力）を抑制し、且つ、カバ−が引上げられるのを防ぐ為に、前記枢支部より離れた前記カバ−の側部側と、前記横部部材の内壁部との間に摩擦部を設け、その摩擦部は滑動回動自在な圧接状態からなる圧接摩擦部、もしくは、滑動回動自在に磁着する磁着摩擦部又は前記圧接摩擦部と前記磁着摩擦部の両方を有する摩擦力を生じさせる構成とする。
そして、前記摩擦部が前記枢支部より離れるほどカバ−が引上げられる抑止力大きくするモ−メント作用が働くこととなる。（図１〜図４参照）
【０００９】
そして、前記圧接摩擦部は一定した摩擦力を得る為に、前記カバ−又は前記横部部材の少なくともどちらか一方が弾力を帯びた（有する）弾力体を有する構造であるか、又は着脱自在又は固着して弾力材、例えばゴム等の摩擦力の大きい軟質材もしくは、ばねを設けたものからなっている。（図１、図２、図３参照）
【００１０】
そして、前記磁着摩擦部は、前記カバ−又は前記横部部材の少なくともどちらか一方に磁石ともう一方に強磁性体を設け、一定した摩擦力を得る磁力の大きさにより摩擦力の強さを調整できるものとしている。（図４参照）
【００１１】
そして、前記摩擦部の摩擦力は、前記カバ−の自重による回動引下げ力よりわずかに小さいものとし、カバ−の先端部は常にロ−ルペ−パ−に圧接（当接）状態を保つこととしているする。
【発明の効果】
【００１２】
カバ−とホルダ−本体（横部部材）との間に摩擦を生じさせカバ−の下方への回動引下げ力を抑制すると、カバ−の先端部とロ−ルペ−パ−との当接部の押圧力（当接力）を軽減でき、ペ−パ−引き出し時にカバ−とロ−ルペ−パ−の当接部の摩擦抵抗を小さくしペ−パ−の引き出しが容易となる。
【００１３】
また、カバ−に重し部等を設けたカバ−自身の回動引下げ力を大きくしたものに対し、その回動引下げ力より前記摩擦部の摩擦力（回動抑止力）を小さくすることで、カバ−は常にロ−ルペ−パ−上に一定の押圧力を伴って当接（載置）する状態となる。
【００１４】
そして、カバーが引上げられるのに対向するカバ−自からの下方向きにかかる回動引下げ力と摩擦による抵抗力がペ−パ−切断時に二重に働き、カバ−が引上げられるのを確実に防ぐことができる。
【図面の簡単な説明】
【００１５】
【図１】（Ａ）図は、ロ−ルペ−パ−を装着した本発明のホルダ−の使用例を示す斜視図、（Ｂ）図は、（Ａ）図の横断面図
【図２】カバ−の側部と横部部材の内壁部との間の圧接摩擦部の一実施例の一部平面図
【図３】図２の変形例の一部平面図
【図４】図３の変形例の一部平面図
【発明を実施するための最良の形態】
【００１６】
以下、本発明の実施の形態を図１〜図４に基づいて説明する。
【００１７】
図１の（Ａ）図は、ロ−ルペ−パ−４０を装着したホルダ−１ａの斜視図を示し、（Ｂ）図は、（Ａ）図の横断面を示す。
ロ−ルペ−パ−４０の両側部に該ロ−ルペ−パ−を装着可能としたホルダ−本体２を形成する横部部材３と、その横部部材の後部に後部部材５を有し、
前記ロ−ルペ−パ−を覆うとともに、前端横幅方向に渡って切断刃９と中央部に重し部１２を有するカバ−８ａと、
前記カバ−の後部を、前記横部部材の後部に枢支した枢支部１０と、
前記枢支部に対し、前記カバ−の前方部を回動自在とするロ−ルペ−パ−が取付けられるホルダ−１ａにおいて、
前記カバ−８ａの前記枢支部１０を支点にカバ−前方部が回動自在に、該カバ−の先端部下面がロ−ルペ−パ−上面に当接し、その当接部１５に一定の押圧力がかかつている。
【００１８】
そして、前記重し部を設けカバ−の回動引下げ力を大きくしたものにおいて、その回動引下げ力を抑制する為に、前記カバ−の側部１１に一体構造に横部部材３の内壁部４に弾力を持って（弾性的に）圧接する円弧状の弾力体（ばね体）２１（図２参照）を設け、摩擦力を生む構成としている。
前記ロ−ルペ−パ−４０は、左右に分割された左ペ−パ−部４１と右ペ−パ−部４２を有する構成のものを装着している。（特願２０１３−３２３３参照）
前記ロ−ルペ−パ−の取付け時に、左ペ−パ−部を切断刃９部より任意の長さ掴み易いように露出４３する取付けにすると、切断長さに容易に引出す（４４）ことが可能となる。そして前記引き出し代４４ａと同じ長さ右ペ−パ−部が同時に切断刃９部より露出４３し、左ペ−パ−切断後の右ペ−パ−部の引き出しが容易となり、片手で交互に引出し切断するものである。
【００１９】
図２は、カバ−の回動引下げ力の抑制を図る図１の圧接摩擦部２０ａの拡大詳細図を示し、
前記圧接摩擦部は、カバ−の側部１１に横部部材３の内壁部４に滑動自在に弾力（ばね力）が働くように円弧状構造の弾力体（ばね体）２１を一体に設けている。
また、前記弾力体に変えて板ばね又はコイルばね等の弾力を有するものを設けても同じ効果を得るものである。
【００２０】
図３は、図２の圧接摩擦部２０ｂの変形例を示し、
横部部材３の内壁部４に固着して板状の弾力材（摩擦材）２２を設け、同弾力材に滑動自在に圧接されるカバ−８ｃの側部１１に一体に突起部１３を設けている。
【００２１】
図４は、カバ−の回動引下げ力の抑制を図る磁着摩擦部２５を示し、
横部部材３の内壁部４に固着して板状の強磁性体２８を設け、同強磁性体に滑動自在に磁着するカバ−８ｄの側部１１に固着して磁石２６を設けている。
【符号の説明】
【００２２】
１ａ、１ｂ、１ｃ、１ｄ    ：ホルダ−  
２    ：ホルダ−本体  
３    ：横部部材
４    ：内壁部
５    ：後部部材
８ａ、８ｂ、８ｃ、８ｄ    ：カバ−
９    ：切断刃
１０    ：枢支部
１１    ：側部
１２    ：重し部  
１３    ：突起部
１４    ：回動引下げ力
１５    ：当接部
２０ａ、２０ｂ    ：圧接摩擦部
２１    ：弾力体
２２    ：弾力材（摩擦材）
２５    ：磁着摩擦部
２６    ：磁石
２８    ：強磁性体
４０    ：ロ−ルペ−パ−
４１    ：左ペ−パ−（部）
４２    ：右ペ−パ−（部）
４３    ：露出
４３ａ、４３ｂ    ：露出代
４４    ：引出し
４４ａ    ：引出し代
【図１】
2014217671.tif 000003
【図２】
2014217671.tif 000004
【図３】
2014217671.tif 000005
【図４】
2014217671.tif 000006